【事件の表示】
　特願２０００−２６３０５３「出力システム、出力装置および制御装置」拒絶査定不服審判事件〔平成１４年　３月　５日出願公開、特開２００２−　６７３９８〕について、次のとおり審決する。
【結　論】
　本件審判の請求は、成り立たない。
【理　由】
１　手続の経緯　
　本願は、平成１２年８月３１日の出願であって、平成２２年４月１６日に手続補正がなされ、同年５月６日付けで拒絶査定がなされ、これに対して、同年８月６日に拒絶査定不服審判が請求され、当審において、平成２３年６月３日付けで拒絶の理由（以下「当審拒絶理由」という。）が通知され、同年８月４日に手続補正がなされたものである。
　
２　本願発明
　本願の請求項１ないし３に係る発明は、平成２３年８月４日の手続補正によって補正された明細書及び図面の記載からみて、その特許請求の範囲の請求項１ないし３に記載された事項によって特定されるとおりのものであると認められるところ、請求項１に係る発明は次のとおりである。
　
「マルチカラーの画像用データから各色毎に分離された複数の色別出力データをそれぞれのアドレス宛に発信可能な個別出力データとして生成する生成手段と、前記個別出力データをそれぞれのアドレス宛に発信する発信手段とを備えたホストコンピュータと、
　カラー画像を出力可能な出力装置であって、各色毎の画像を出力する複数の色別出力手段と、これらの色別出力手段で出力する前記色別出力データをそれぞれ受信し前記色別出力手段をそれぞれ制御する複数の色別制御手段と、前記複数の色別出力手段により形成された各色の画像を合成する手段とを備えた出力装置と、
　前記ホストコンピュータの発信手段から出力された前記個別出力データをそれぞれのアドレス宛に伝送可能な伝送手段とを有し、
　前記色別出力データは、用紙に印刷する各色毎の印刷データであり、前記出力装置は、カラー画像を用紙に記録可能な記録装置であり、
　前記複数の色別制御手段は、それぞれ、個別にアドレスを備え前記ホストコンピュータと独立して順番を整えずに通信し、個別のアドレス宛に発信された前記個別出力データの前記色別出力データを受信する手段と、前記色別出力データを記録するメモリとを含み、
　さらに、前記出力装置は、前記複数の色別制御手段が前記ホストコンピュータとそれぞれ独立して順番を整えずに通信することにより前記複数の色別制御手段のそれぞれの前記メモリに１ページ分の前記色別出力データが記録されたことが前記複数の色別制御手段から通知されると前記合成する手段を起動する機構制御手段を含む、出力システム。」（以下「本願発明」という。）
　
３　刊行物の記載事項　
（１）当審拒絶理由で引用した「本願の出願前に頒布された刊行物である特開平８−１９２５４２号公報（以下「引用例」という。）」には、図とともに次の事項が記載されている（ただし、丸付き数字は便宜上〔丸１〕などと表記した。）。
　ア　「【０００１】
【産業上の利用分野】本発明は、カラープリンタに用いて好適な画像出力装置に関する。
【０００２】
【従来の技術】従来より、ページ記述言語のデータ（以下、ＰＤＬデータと略す）をラスタデータすなわちＣＭＹＫデータに変換し、印字装置に供給する装置が知られている（特開平４−１７１５８２号公報、特開平４−２６０１７７号公報）。これらの装置の概略構成を図２に示す。図においてディスク装置２１にはＰＤＬデータを格納したディスクが介挿され、該ＰＤＬデータは中央演算処理装置２２によってＣＭＹＫデータに変換された後フレームバッファメモリ２３に格納される。このＣＭＹＫデータはプリント制御装置２５に順次供給され、印字装置２７を介して印字される。ここで、印字装置２７に設けられたＫＹＭＣ印字部２６は一般的な構成のものであり、各用紙毎にＣＭＹＫデータを順次印字してゆくものである。
【０００３】一方、近年のカラー複写機においては、特に高速な複写を行うために、画像出力部にタンデム方式を採用したものが見られる。かかる画像出力部は、用紙を一定方向に搬送する用紙搬送機構と、１フレームの出力画像の各原色データを各々格納する複数のフレームバッファと、この用紙の搬送経路に沿って所定距離ずつ（審決注：「づつ」は「ずつ」の明らかな誤記なので訂正して摘記した。以下同じ。）隔てて設けられ各々が一原色の印字を行う複数の印字部とから構成される。
【０００４】次に、タンデム方式における印字動作を図４を参照し説明する。同図においては、最初に各原色に係るフレームバッファに用紙第１枚目のデータが各々格納され、用紙第１枚目の搬送が開始される。用紙第１枚目の先端部がＫ色の印字部に達すると、この用紙第１枚目のＫ色の印字が開始される。その後、用紙第１枚目の先端がＹ色の印字部に達するとＹ色の印字が開始される。その後、用紙第１枚目のＫ色の印字が終了すると、Ｋ色のフレームバッファの内容が用紙第２枚目のものに置換される。
【０００５】その後、用紙第１枚目の先端部がＭ色の印字部に達すると、用紙第１枚目に対するＭ色の印字が開始される。また、用紙第１枚目のＫ色の印字が終了してから所定時間ΔＴが経過すると、用紙第２枚目の先端部がＫ色の印字部に達する。従って、この時点から用紙第２枚目のＫ色の印字が開始される。このように、タンデム方式においては、異なる用紙または同一の用紙上で各原色の印字を同時に行うことができる。例えば、図４の時刻ｔ１０１においては、全ての原色に係る印字が同時に行われている。これにより、同方式のものは、他の方式のものと比較して高速な印字を行うことが可能である。
【０００６】
【発明が解決しようとする課題】そこで、本発明者は、ワークステーション等に用いられるカラープリンタに対してタンデム方式の採用を検討したが、その際に以下のような問題点が判明した。まず、ＰＤＬデータをＣＭＹＫデータに変換するためにはワークステーション内にフレームバッファメモリ２３を設けることが必須である。また、複写機等に用いられているタンデム方式をそのままカラープリンタに適用しようとすると、カラープリンタの内部にもフレームバッファメモリを設ける必要がある。すなわち、システム全体としては、フレームバッファメモリを二重に設けることになり、価格的に不利であった。」
　
　イ　図２の記載から、ディスク装置２１、中央演算処理装置２２及びフレームバッファメモリ２３から構成された画像出力装置から、ＫＹＭＣ印字部２６を備えた印字装置２７及びプリント制御装置２５から構成されたカラープリンタへのＣＭＹＫデータの供給は、手段２４を介して行われること、及び、この手段２４が伝送手段であることが見て取れる。
　
　ウ　「【０００７】さらに、ワークステーションにおける印字データの伝送速度は複写機のものとは全く異なっている。まず、複写機においては、ＣＣＤセンサで読み込まれた原稿画像のＲＧＢデータが色変換回路によってＣＭＹＫデータに変換され、このＣＭＹＫデータが上述したフレームバッファメモリに格納される。その場合、データ伝送に係る仕様は全く任意に定めることができるから、技術上および価格上可能な最高速度でデータ伝送を行えばよい。すなわち、各色毎に独立した幅広いデータバスを用いて高速のクロックでデータ伝送を行えば、充分な速度でデータ伝送を行うことができる。
【０００８】一方、ワークステーションにあっては、一般的に機器間の接続端子のピン数、伝送速度等は種々の規定によって制約される。また、ワークステーションが全ての資源を印字用に割り当てるわけではない。従って、単に印字データの高速伝送を可能とする特殊な装置を開発することは、技術的には可能であっても、実用性・市場性の面に鑑みれば殆ど考えられないことである。データ伝送時間が長くなると、当然、フレームバッファメモリの書き換えに要する時間も長くなる。このため、用紙間の間隔を広げて図４に示す時間ΔＴを長くせざるを得ない。
【０００９】結局、複写機に用いられているタンデム方式を単にワークステーション等のカラープリンタに適用したとしても、用紙間の間隔を広げざるを得ないから、カラープリンタの能力を充分に引出すことはできず、印字速度は抑制される。この発明は上述した事情に鑑みてなされたものであり、所要メモリ容量が少なく、高速印字が可能な画像出力装置を提供することを目的としている。」
　
　エ　「【００１０】
【課題を解決するための手段】上記課題を解決するため請求項１記載の構成にあっては、用紙を搬送する搬送手段と、前記搬送手段によって搬送される用紙の搬送経路に沿って配列され、この用紙に対して同時に画像出力を行う複数の画像出力部と、前記画像出力部に対応して設けられた複数の記憶手段と、前記記憶手段に対し所定ブロック単位のデータを逐次転送する第１データ転送手段と、前記第１データ転送手段により前記各記憶手段に転送されたデータを各々対応する前記画像出力部に逐次転送する第２データ転送手段とを具備することを特徴とする。
【００１１】
【作用】第１データ転送手段は、所定ブロック単位のデータを各記憶手段に逐次転送する。また、第２データ転送手段は、これら各記憶手段に転送されたデータを、各々対応する画像出力部に逐次転送する。そして、搬送手段が用紙を搬送すると、複数の画像出力部は、この用紙に対して同時に画像出力を行う。」
　
　オ　「【００１２】
【実施例】
Ａ．実施例の構成
以下、図１を参照して本発明の一実施例について説明する。図において１はディスク装置であり、ＰＤＬデータを格納したディスクが介挿される。２は中央演算処理装置であり、メインメモリ１９に格納された制御プログラムに基づいて他の構成要素を制御する。３はフレームバッファメモリであり、中央演算処理装置２の制御の下、ＣＭＹＫデータを格納する。１３〜１６はＫＹＭＣ各色に対応して設けられた印字部であり、用紙の搬送経路に沿って所定距離ずつ隔てて設けられ各々が用紙に対して対応する原色の印字を行う。
【００１３】５はＫ中間メモリバッファであり、Ｋ色の印字データを格納する小容量の記憶装置である。９はプリント制御装置であり、Ｋ中間メモリバッファ５の内容を読み出してＫ印字部１３に供給する。同様に、印字部１４〜１６に対しても、中間メモリバッファ６〜８と、プリント制御装置１０〜１２とが設けられている。これら中間メモリバッファ５〜８は、中央演算処理装置２および対応する各プリント制御装置９〜１２によって独立にアクセス可能であるＦＩＦＯ（ファーストイン・ファーストアウト）メモリである。
【００１４】次に、各プリント制御装置９〜１２の詳細を図１０を参照し説明する。まず、プリント制御装置９は、ページ／ライン検出装置９ａとＫデータ転送装置９ｂとから構成されている。ページ／ライン検出装置９ａは、用紙の搬送に同期してページ同期信号 PageSync とライン同期信号 LineSync とを発生させるものであり、Ｋデータ転送装置９ｂはこれらの信号 信号 PageSync, LineSync  に同期して、Ｋ中間メモリバッファ５の内容をＫ印字部１３に転送するものである。
【００１５】ここで、ページおよびライン同期信号 PageSync, LineSync の出力されるタイミングを図５を参照して説明する。まず、Ｋ印字部１３には、用紙センサが設けられており（図示せず）、ここに用紙１７の先端部が達した時にページ／ライン検出装置９ａからページ同期信号 PageSync が出力される。また、Ｋ印字部１３は図上反時計回りに回転しながら用紙１７にＫ色を印字してゆく。ページ／ライン検出装置９ａは、用紙搬送用ローラ（図示せず）の回転角を検出し、該ローラが所定角度回動する毎にライン同期信号 LineSync を出力する。
【００１６】また、図１０に示すように、各プリント制御装置１０〜１２には、上述のものと同様に構成されたページ／ライン検出装置とデータ転送装置とが設けられており、これらページ／ライン検出装置によって、各色に対応するページ／ライン同期信号 PageSync, LineSync が出力される。
【００１７】Ｂ．実施例の動作
次に、本実施例の動作を説明する。まず、ディスク装置１にＰＤＬデータの格納されたディスクがセットされ、中央演算処理装置２において所定のプログラムが起動されると、このＰＤＬデータがＣＭＹＫデータに変換されフレームバッファメモリ３に格納される。ここで、格納されたＣＭＹＫデータのデータ構造を図３に示す。同図(ａ)におけるＫ１，Ｙ１，Ｍ１，Ｃ１，Ｋ２，Ｙ２，Ｍ２，Ｃ２，……，Ｋｉ，Ｙｉ，Ｍｉ，Ｃｉ，……，Ｋｎ，Ｙｎ，Ｍｎ，Ｃｎは、用紙第１枚目〜用紙第ｎ枚目に各々対応するＣＭＹＫデータであり、下添字第１桁は用紙のページ番号を表す。これらＣＭＹＫデータは、中央演算処理装置２によってフレームバッファメモリ３内に順次展開される。
【００１８】また、同図(ｂ)にデータＫｉ，Ｙｉ，Ｍｉ，Ｃｉの詳細構造を示す。これらのデータは、各々「ｗ」個のブロックに分割されている。このブロック番号を下添字第２桁につけ、以下、「ブロックＫｉ１」のように表記する。なお、他のページに係るＣＭＹＫデータも同様に複数のブロックに分割されている。
【００１９】中央演算処理装置２は、用紙第１枚目のＣＭＹＫデータの作成が完了すると、中央演算処理装置２に対して印字開始要求信号を出力する。次に、中央演算処理装置２においては、「プロセス・スイッチ・マネージャ」というプログラムが起動される（その詳細は後述する）。なお、中央演算処理装置２は、周知のワークステーションと同様にマルチタスク処理が可能になっており、用紙第２枚目以降のＣＭＹＫデータは、他のタスクによって順次生成されつつフレームバッファメモリ３に格納される。
【００２０】さて、印字装置２０においては、印字開始要求信号に対応して用紙搬送機構が駆動され、用紙第１枚目がＫ印字部１３に向かって搬送されてゆく。ここで、用紙第１枚目の先端部がＫ印字部１３に達すると、ページ／ライン検出装置９ａからページ同期信号 PageSync が出力される。なお、各色のページ／ライン同期信号 PageSync, LineSync を区別するために、以下の説明にあっては信号名の前に色名とアンダーライン（Ｋ＿，Ｙ＿，Ｍ＿またはＣ＿）を付ける。
【００２１】ページ同期信号 K_PageSync が出力されると、該信号は中央演算処理装置２に供給される。これに対して、中央演算処理装置２は、「Ｋ転送プロセス」というプログラムをメインメモリ１９内に常駐させる。ここで、Ｋ転送プロセスの内容について説明しておく。Ｋ転送プロセスは、起動されると、まずＫ中間メモリバッファ５に空き領域が有るか否かを判定する。そして、空き領域が存在する場合には、フレームバッファメモリ３内のＫ色に係るブロックのうち先頭に位置する一ブロックをＫ中間メモリバッファ５に転送し、フレームバッファメモリ３における該ブロックの格納領域を解放する。
【００２２】一方、Ｋ中間メモリバッファ５に空き領域が無い場合は、Ｋ転送プロセスは特に処理を行わない。そして、何れの場合においても、Ｋ転送プロセスは、常駐したまま処理を終了する。また、同様に各色のブロックを転送するため、中央演算処理装置２は、Ｙ，ＭおよびＣ転送プロセスを常駐させることが可能になっている。但し、これらＹ，ＭおよびＣ転送プロセスは、現時点では未だメインメモリ１９に常駐されていない。
【００２３】さて、プロセス・スイッチ・マネージャは、中央演算処理装置２に設けられたタイマに同期して、既に常駐されている各転送プロセスを所定の切替時間毎に循環して起動するものである。現時点では、起動されている転送プロセスはＫ転送プロセスのみであるから、切替時間毎にＫ転送プロセスが繰り返し起動される。すなわち、該プロセスが最初に起動されると、Ｋ色に係る先頭のブロック、すなわち用紙第１枚目のＫ色の先頭ブロックＫ１１がフレームバッファメモリ３からＫ中間メモリバッファ５に転送され、フレームバッファメモリ３内においてブロックＫ１１の格納されていた領域が解放される。これにより、次のＫ色に係る先頭ブロックは「Ｋ１２」になる。以後同様に、Ｋ転送プロセスが起動される毎に、用紙第１枚目のＫ色に係るブロックＫ１１，Ｋ１２，Ｋ１３，……が順次、「１」ブロックづつＫ中間メモリバッファ５に転送される。
【００２４】一方、プリント制御装置９においては、用紙第１枚目が引続き搬送されＫ印字部１３の回転に伴ってライン同期信号 K_LineSync が出力される。このライン同期信号 K_LineSync が出力されると、Ｋ中間メモリバッファ５内の先頭ブロック（Ｋ中間メモリバッファ５に書込まれているブロックのうち、最初に書込まれたもの）がプリント制御装置９によって読み出され、該先頭ブロックの格納されていた領域が解放される。次に、読み出された先頭ブロックはＫ印字部１３に供給される。これにより、該先頭ブロックに基づいて、Ｋ色のイメージが用紙に印字される。
【００２５】すなわち、用紙第１枚目のＫ色に係るブロックＫ１１，Ｋ１２，Ｋ１３，……が順次、「１」ブロックづつ読み出され、読み出されたブロックの内容に基づいてＫ色のイメージが用紙に印字されてゆく。その後、用紙第１枚目の先端がＹ印字部１４に達すると、プリント制御装置１０からページ同期信号 Y_PageSync が出力される。これに対して、中央演算処理装置２は、Ｙ転送プロセスをメインメモリ１９内に常駐させる。以後、プロセス・スイッチ・マネージャは、切替時間毎に、Ｋ転送プロセスとＹ転送プロセスとを交互に起動させる。
【００２６】これにより、Ｋ色の場合と同様に、ブロックＹ１１，Ｙ１２，Ｙ１３，……が順次、「１」ブロックづつＹ中間メモリバッファ６に転送される。そして、ライン同期信号 Y_LineSync に同期して、Ｙ中間メモリバッファ６内のブロックが順次読み出され、読み出されたブロックの内容に基づいてＹ色のイメージが用紙に印字されてゆく。そして、用紙先端がＭ印字部１５に達するとページ同期信号 M_PageSync が出力されることによってＭ転送プロセスがメインメモリ１９に常駐され、Ｋ，Ｙ，Ｍ転送プロセスがプロセス・スイッチ・マネージャによって循環的に起動される。
【００２７】さらに、用紙先端がＣ印字部１６に達すると、ページ同期信号 C_PageSync が出力されることによってＣ転送プロセスがメインメモリ１９に常駐され、Ｋ，Ｙ，Ｍ，Ｃの全転送プロセスがプロセス・スイッチ・マネージャによって循環的に起動される。このように、時間の経過とともに転送プロセスが増加してゆく様子と、各転送プロセスによって転送されるブロックを図８に示す。また、印字過程において各中間メモリバッファ５〜８に格納されているブロックの例を図９に示す。また、各ブロックと、転送プロセスと、各中間メモリバッファ５〜８との対応関係を図６に示す。そして、全転送プロセスが起動された場合の各転送プロセスの実行順序を図７に示す。
【００２８】Ｃ．実施例の効果
以上説明したように本実施例によれば、プロセス・スイッチ・マネージャによって、各色のＣＭＹＫデータがブロック毎に各中間メモリバッファ５〜８に転送される。これにより、各印字部１３〜１６が印字を行わない期間（図４の時間ΔＴ等）に大量のデータを高速に行うような処理はもとより不要である。換言すれば、本実施例においては、全ての印字部１３〜１６で印字が行われているタイミング（図４の時刻ｔ１０１等）においてもデータ転送が行われるから、データ転送に係る処理負担を全時間軸上に分散することができる。従って、本実施例によれば時間ΔＴをきわめて短縮することができる。
【００２９】さらに、各中間メモリバッファ５〜８は、数ブロックのデータを記憶できる程度の容量があれば充分であり、用紙１枚相当の記憶容量を要するフレームバッファメモリと比較して、所要記憶容量はきわめて少ない。従って、本実施例の装置は、きわめて安価に構成することが可能であるとともに、タンデム方式の印字装置の性能を余すところなく引出すことによって高速な印字を行うことが可能である。」
　
　カ　図１の記載から、ディスク装置１、中央演算処理装置２、フレームバッファメモリ３及びメインメモリ１９から構成されたワークステーションから、Ｋ印字部１３、Ｙ印字部１４、Ｍ印字部１５、Ｃ印字部１６を備えた印字装置２０と、Ｋ印字部１３、Ｙ印字部１４、Ｍ印字部１５、Ｃ印字部１６にそれぞれ対応して設けられた、プリント制御装置９及びＫ中間メモリバッファ５、プリント制御装置１０及びＹ中間メモリバッファ６、プリント制御装置１１及びＭ中間メモリバッファ７、プリント制御装置１２及びＣ中間メモリバッファ８とから構成されたカラープリンタへのＣＭＹＫデータの供給は、システムバス４を介して行われることが見て取れる。
　
　キ　「【００３０】Ｄ．変形例
本発明は上述した実施例に限定されるものではなく、例えば以下のように種々の変形が可能であることは言うまでもない。
〔丸１〕上記実施例にあってはプロセス・スイッチ・マネージャは所定の順序で各転送プロセスを循環的に起動した。しかし、プロセス・スイッチ・マネージャによって各中間メモリバッファ５〜８の空き容量を検出し、空き容量の多い各中間メモリバッファ５〜８を優先して、対応する転送プロセスを起動してもよい。
【００３１】〔丸２〕上記実施例にあっては、何れかの色に対応するページ同期信号 PageSync が出力されると、この色に対応する転送プロセスが起動され対応するブロックが転送された。しかし、ページ同期信号 PageSync が出力される前に、予め数ブロックのデータを各中間メモリバッファ５〜８に転送しておいてもよい。」
　
　ク　「【００３２】
【発明の効果】以上説明したように本発明によれば、第１データ転送手段は、所定ブロック単位のデータを各記憶手段に逐次転送するから、データ転送処理を時間軸上で分散することができる。これにより、大量のデータを一度に転送する必要がなくなり、画像出力処理を高速に行うことができる。さらに、第２データ転送手段は、これら各記憶手段に転送されたデータを、各々対応する画像出力部に逐次転送するから、記憶手段の所要容量を少なくすることができる。」
　
（２）上記（１）ア及びイの記載から、引用例には、
「ディスク装置、中央演算処理装置及び第１のフレームバッファメモリから構成された画像出力装置と、プリント制御装置及び印字装置から構成されたカラープリンタと、伝送手段とからなる画像出力システムであって、
　前記ディスク装置にページ記述言語のデータすなわちＰＤＬデータを格納したディスクが介挿されると、該ＰＤＬデータを前記中央演算処理装置によってラスタデータすなわちＣＭＹＫデータに変換した後第１のフレームバッファメモリに格納し、このＣＭＹＫデータを前記伝送手段を介して前記プリント制御装置に順次供給して、前記印字装置を介して印字する画像出力システムにおいて、
　ワークステーション等に用いられるカラープリンタに対してタンデム方式を採用する際には、まず、ＰＤＬデータをＣＭＹＫデータに変換するためにはワークステーション内に第１のフレームバッファメモリを設けることが必須であり、また、複写機等に用いられているタンデム方式をそのままカラープリンタに適用しようとすると、カラープリンタの内部にも第２のフレームバッファメモリを設ける必要があるので、
　前記画像出力装置を、第１のフレームバッファメモリを内部に設けたワークステーションとし、
　従来、各用紙毎にＣＭＹＫデータを順次印字してゆく一般的な構成のＫＹＭＣ印字部が設けられた印字装置であった前記カラープリンタを、用紙を一定方向に搬送する用紙搬送機構と、１フレームの出力画像の各原色データを各々格納する複数の第２のフレームバッファメモリと、この用紙の搬送経路に沿って所定距離ずつ隔てて設けられ各々が一原色の印字を行う複数の印字部とから構成し、最初に各原色に係る第２のフレームバッファメモリに用紙第１枚目のデータが各々格納され、用紙第１枚目の搬送が開始され、用紙第１枚目の先端部がＫ色の印字部に達すると、この用紙第１枚目のＫ色の印字が開始され、その後、用紙第１枚目の先端がＹ色の印字部に達するとＹ色の印字が開始され、その後、用紙第１枚目のＫ色の印字が終了すると、Ｋ色の第２のフレームバッファメモリの内容が用紙第２枚目のものに置換され、その後、用紙第１枚目の先端部がＭ色の印字部に達すると、用紙第１枚目に対するＭ色の印字が開始され、また、用紙第１枚目のＫ色の印字が終了してから所定時間ΔＴが経過すると、用紙第２枚目の先端部がＫ色の印字部に達して、この時点から用紙第２枚目のＫ色の印字が開始され、異なる用紙または同一の用紙上で各原色の印字を同時に行うことができ、ある時刻においては、全ての原色に係る印字が同時に行われるタンデム方式のカラープリンタにすることにより、
　従来の方式のものと比較して、システム全体としてはフレームバッファメモリを二重に設けることになり価格的に不利にはなるが、高速な印字を行うことを可能にした画像出力システム。」の発明（以下「引用発明」という。）が記載されているものと認められる。
　
４　対比
　本願発明と引用発明とを対比する。
（１）引用発明の「ページ記述言語のデータすなわちＰＤＬデータ」、「『ラスタデータすなわちＣＭＹＫデータ』、『１フレームの出力画像の各原色データ』」、「中央演算処理装置」、「『ＣＭＹＫデータ』を『プリント制御装置に順次供給』する手段」、「『第１のフレームバッファメモリを内部に設けたワークステーション』とした『画像出力装置』」、「タンデム方式のカラープリンタ」、「用紙の搬送経路に沿って所定距離ずつ隔てて設けられ各々が一原色の印字を行う複数の印字部」、「用紙を一定方向に搬送する用紙搬送機構」、「伝送手段」、「プリント制御装置」、「用紙」、「印字」、「第２のフレームバッファメモリ」、「『用紙第１枚目の搬送』を『開始』する」及び「画像出力システム」は、それぞれ、本願発明の「画像用データ」、「各色毎に分離された複数の色別出力データ」、「生成手段」、「発信手段」、「ホストコンピュータ」、「カラー画像を出力可能な出力装置」、「各色毎の画像を出力する複数の色別出力手段」、「複数の色別出力手段により形成された各色の画像を合成する手段」、「伝送手段」、「『色別出力手段をそれぞれ制御』する『色別制御手段』」、「用紙」、「印刷」、「メモリ」、「合成する手段を起動する」及び「出力システム」に相当する。
　
（２）引用発明の「出力システム（画像出力システム）」は、「ホストコンピュータ（第１のフレームバッファメモリを内部に設けたワークステーションとした画像出力装置）」のディスク装置に「画像用データ（ページ記述言語のデータすなわちＰＤＬデータ）」を格納したディスクが介挿されると、該「画像用データ」を前記「ホストコンピュータ」の「生成手段（中央演算処理装置）」によって「各色毎に分離された複数の色別出力データ（ラスタデータすなわちＣＭＹＫデータ）」に変換した後第１のフレームバッファメモリに格納し、この「色別出力データ」を「伝送手段」を介して「発信手段（ＣＭＹＫデータをプリント制御装置に順次供給する手段）」により、「カラー画像を出力可能な出力装置（タンデム方式のカラープリンタ）」の「色別制御手段（プリント制御装置）」に順次供給して、「各色毎の画像を出力する複数の色別出力手段（用紙の搬送経路に沿って所定距離ずつ隔てて設けられ各々が一原色の印字を行う複数の印字部）」を介して「用紙」に「印刷（印字）」するものであり、「各色毎に分離された複数の色別出力データ（１フレームの出力画像の各原色データ）」を、複数の「メモリ（第２のフレームバッファメモリ）」に各々格納するようにしたものであるから、引用発明の「画像用データ」と本願発明の「画像用データ」とは「マルチカラーの画像用データ」である点で一致し、引用発明の「生成手段」と本願発明の「マルチカラーの画像用データから各色毎に分離された複数の色別出力データをそれぞれのアドレス宛に発信可能な個別出力データとして生成する生成手段」とは「マルチカラーの画像用データから各色毎に分離された複数の色別出力データを個別出力データとして生成する生成手段」である点で一致し、引用発明の「発信手段」と本願発明の「個別出力データをそれぞれのアドレス宛に発信する発信手段」とは「個別出力データを発信する発信手段」である点で一致し、引用発明の「ホストコンピュータ」と本願発明の「マルチカラーの画像用データから各色毎に分離された複数の色別出力データをそれぞれのアドレス宛に発信可能な個別出力データとして生成する生成手段と、前記個別出力データをそれぞれのアドレス宛に発信する発信手段とを備えたホストコンピュータ」とは「マルチカラーの画像用データから各色毎に分離された複数の色別出力データを個別出力データとして生成する生成手段と、前記個別出力データを発信する発信手段とを備えたホストコンピュータ」である点で一致し、引用発明の「色別制御手段（プリント制御装置）」と本願発明の「それぞれ、個別にアドレスを備え前記ホストコンピュータと独立して順番を整えずに通信し、個別のアドレス宛に発信された前記個別出力データの前記色別出力データを受信する手段と、前記色別出力データを記録するメモリとを含み、色別出力手段で出力する前記色別出力データをそれぞれ受信し前記色別出力手段をそれぞれ制御する複数の色別制御手段」とは「前記ホストコンピュータと通信し、前記個別出力データの前記色別出力データを受信する手段と、前記色別出力データを記録するメモリとを含む」点、及び、「色別出力手段で出力する前記色別出力データをそれぞれ受信し前記色別出力手段をそれぞれ制御する」点で一致し、引用発明の「カラー画像を出力可能な出力装置（タンデム方式のカラープリンタ）」と本願発明の「カラー画像を出力可能な出力装置」とは、「カラー画像を用紙に記録可能な記録装置であ」る点及び「複数の色別出力手段と、色別制御手段と、前記複数の色別出力手段により形成された各色の画像を合成する手段とを備えた」点で一致し、引用発明の「出力システム（画像出力システム）」と本願発明の「出力システム」とは「ホストコンピュータと、カラー画像を出力可能な出力装置と、伝送手段とを有し」ている点で一致し、さらに、引用発明の「色別出力データ（ラスタデータすなわちＣＭＹＫデータ）」と本願発明の「色別出力データ」とは「用紙に印刷する各色毎の印刷データであ」る点で一致する。
　
（３）引用発明の「出力システム（画像出力システム）」は、最初に各原色に係る「メモリ（第２のフレームバッファメモリ）」に用紙第１枚目のデータが各々格納され、「用紙」第１枚目の搬送が開始されるものであるところ、この「用紙第１枚目のデータの各々」は本願発明の「１ページ分の色別出力データ」に相当する。
　したがって、引用発明の「複数の色別出力手段により形成された各色の画像を合成する手段（用紙を一定方向に搬送する用紙搬送機構）」は、「色別制御手段のそれぞれのメモリ」に「１ページ分の色別出力データ」が記録されたことにより起動するものといえる。
　そうすると、引用発明の「出力システム」は、「色別制御手段のそれぞれのメモリ」に「１ページ分の色別出力データ」が記録されたことを前記「色別制御手段」が通知しこの通知により「複数の色別出力手段により形成された各色の画像を合成する手段」を起動する手段を有していることが当業者に自明であるところ、この「起動する手段」は本願発明の「機構制御手段」に相当する。
　よって、引用発明の「機構制御手段（起動する手段）」と本願発明の「前記複数の色別制御手段が前記ホストコンピュータとそれぞれ独立して順番を整えずに通信することにより前記複数の色別制御手段のそれぞれの前記メモリに１ページ分の前記色別出力データが記録されたことが前記複数の色別制御手段から通知されると前記合成する手段を起動する機構制御手段」とは「色別制御手段が前記ホストコンピュータと通信することにより前記色別制御手段のそれぞれの前記メモリに１ページ分の前記色別出力データが記録されたことが前記色別制御手段から通知されると前記合成する手段を起動する機構制御手段」である点で一致するとともに、、引用発明の「カラー画像を出力可能な出力装置（タンデム方式のカラープリンタ）」と本願発明の「前記複数の色別制御手段が前記ホストコンピュータとそれぞれ独立して順番を整えずに通信することにより前記複数の色別制御手段のそれぞれの前記メモリに１ページ分の前記色別出力データが記録されたことが前記複数の色別制御手段から通知されると前記合成する手段を起動する機構制御手段を含む、カラー画像を出力可能な出力装置」とは「前記色別制御手段が前記ホストコンピュータと通信することにより前記色別制御手段のそれぞれの前記メモリに１ページ分の前記色別出力データが記録されたことが前記色別制御手段から通知されると前記合成する手段を起動する機構制御手段を含む」点でも一致する。
　
（４）上記（１）ないし（３）からみて、本願発明と引用発明とは、
「マルチカラーの画像用データから各色毎に分離された複数の色別出力データを個別出力データとして生成する生成手段と、前記個別出力データを発信する発信手段とを備えたホストコンピュータと、
　カラー画像を出力可能な出力装置であって、各色毎の画像を出力する複数の色別出力手段と、これらの色別出力手段で出力する前記色別出力データをそれぞれ受信し前記色別出力手段をそれぞれ制御する色別制御手段と、前記複数の色別出力手段により形成された各色の画像を合成する手段とを備えた出力装置と、
　前記ホストコンピュータの発信手段から出力された前記個別出力データを伝送可能な伝送手段とを有し、
　前記色別出力データは、用紙に印刷する各色毎の印刷データであり、前記出力装置は、カラー画像を用紙に記録可能な記録装置であり、
　前記色別制御手段は、前記ホストコンピュータと通信し、発信された前記個別出力データの前記色別出力データを受信する手段と、前記色別出力データを記録するメモリとを含み、
　さらに、前記出力装置は、前記色別制御手段が前記ホストコンピュータと通信することにより前記色別制御手段のそれぞれの前記メモリに１ページ分の前記色別出力データが記録されたことが前記色別制御手段から通知されると前記合成する手段を起動する機構制御手段を含む、出力システム。」の点で一致し、次の点で相違する。
　
相違点：
　本願発明では、前記個別出力データが、「それぞれのアドレス宛に発信可能」なものであり、前記発信手段が、前記個別出力データを「それぞれのアドレス宛」に発信するものであり、前記色別制御手段が「複数」であり、前記受信する手段が「それぞれ、個別にアドレスを備え」、前記ホストコンピュータと「独立して順番を整えずに」通信するものであり、前記受信する手段が受信する前記個別出力データの前記色別出力データは「個別のアドレス宛に」発信されたものであり、前記伝送手段が、前記個別出力データを「それぞれのアドレス宛に」伝送可能なものであるのに対して、
　引用発明では、前記「色別制御手段（プリント制御装置）」は複数ではなく、前記「受信する手段」は、アドレスを備えておらず、前記「受信する手段」と前記「ホストコンピュータ」との通信は「１ページ分の色別出力データ（用紙第１枚目のデータが各々）」が複数の前記「メモリ（第２のフレームバッファメモリ）」に格納されるように順次するものであり、前記「個別出力データ（１フレームの出力画像の各原色データ）」はアドレス宛に発信可能なものではなく、前記「発信手段（ＣＭＹＫデータをプリント制御装置に順次供給する手段）」は前記「個別出力データ」をアドレス宛に発信するものではない点。
　
５　判断
　上記相違点について検討する。
（１）引用例の上記３（１）ウの記載から、引用例には、次の「引用発明の課題」が記載されているものと認められる。
（引用発明の課題）
「タンデム方式の複写機においては、各色毎に独立した幅広いデータバスを用いて高速のクロックでデータ伝送を行えば、充分な速度でデータ伝送を行うことができるのに対して、複写機に用いられているタンデム方式を単にワークステーション等のカラープリンタに適用した引用発明では、機器間の接続端子のピン数に種々の規定による制約があり、ワークステーションにおける印字データの伝送速度は長くなり、データ伝送時間が長くなるとフレームバッファメモリの書き換えに要する時間も長くなるため、用紙間の間隔を広げて前記所定時間ΔＴを長くせざるを得ないから、カラープリンタの能力を充分に引出すことはできず、印字速度は抑制される。」
　
（２）引用例の上記３（１）エの記載から、引用例には、上記（１）の「引用発明の課題」は、次の「解決手段」により解決することができることが記載されているものと認められる。
（解決手段）
「記憶手段に対し所定ブロック単位のデータを逐次転送する第１データ転送手段と、前記第１データ転送手段により前記各記憶手段に転送されたデータを各々対応する前記画像出力部に逐次転送する第２データ転送手段とを具備し、第１データ転送手段が所定ブロック単位のデータを各記憶手段に逐次転送し、第２データ転送手段がこれら各記憶手段に転送されたデータを各々対応する画像出力部に逐次転送するようにすること。」
　
（３）引用例の上記３（１）オ及びカの記載から、引用例には、上記（２）の「解決手段」の具体例として、次の事項が記載されているものと認められる。
（具体例）
「ディスク装置、中央演算処理装置及び第１のフレームバッファメモリから構成されたワークステーションと、Ｋ印字部、Ｙ印字部、Ｍ印字部、Ｃ印字部を備えた印字装置、Ｋ印字部、Ｙ印字部、Ｍ印字部、Ｃ印字部にそれぞれ対応して設けられた複数の記憶手段及びプリント制御装置から構成されたカラープリンタと、前記ワークステーションから前記カラープリンタへのＣＭＹＫデータの供給を行うための伝送手段とからなる画像出力システムにおいて、
　前記カラープリンタに、記憶手段と同様、プリント制御装置についてもＫ印字部、Ｙ印字部、Ｍ印字部、Ｃ印字部にそれぞれ対応して複数設けるとともに、前記ワークステーションにメインメモリを備え、
　まず、前記ディスク装置にＰＤＬデータの格納されたディスクがセットされ、マルチタスク処理が可能になっている前記中央演算処理装置において所定のプログラムが起動され、マルチタスク処理により、このＰＤＬデータが用紙第１枚目〜用紙第ｎ枚目に各々対応するＣＭＹＫデータＫ１，Ｙ１，Ｍ１，Ｃ１，Ｋ２，Ｙ２，Ｍ２，Ｃ２，……，Ｋｉ，Ｙｉ，Ｍｉ，Ｃｉ，……，Ｋｎ，Ｙｎ，Ｍｎ，Ｃｎに変換され第１のフレームバッファメモリに格納され、これらＣＭＹＫデータは、前記中央演算処理装置によって第１のフレームバッファメモリ内に順次展開され、この展開された各ページのデータ、例えばｉページのデータＫｉ，Ｙｉ，Ｍｉ，Ｃｉは、各々『ｗ』個の複数のブロック（以下『ブロックＫｉ１』のように表記する。）に分割されており、前記中央演算処理装置は、用紙第１枚目のＣＭＹＫデータの作成が完了すると、前記中央演算処理装置に対して印字開始要求信号を出力し、次に、前記中央演算処理装置においては、『プロセス・スイッチ・マネージャ』というプログラムが起動され、前記印字装置においては、印字開始要求信号に対応して用紙搬送機構が駆動され、用紙第１枚目がＫ印字部に向かって搬送されてゆき、用紙第１枚目の先端部がＫ印字部に達すると、Ｋ色ページ／ライン検出装置からＫ色ページ同期信号 K_PageSync が出力され、該信号が前記中央演算処理装置に供給され、これに対して、前記中央演算処理装置は、『Ｋ転送プロセス』というプログラムを前記メインメモリ内に常駐させ、Ｋ転送プロセスは、起動されると、まずＫ中間メモリバッファに空き領域が有るか否かを判定し、空き領域が存在する場合には、第１のフレームバッファメモリ内のＫ色に係るブロックのうち先頭に位置する一ブロックをＫ中間メモリバッファに転送し、第１のフレームバッファメモリにおける該ブロックの格納領域を解放する一方、Ｋ中間メモリバッファに空き領域が無い場合は、Ｋ転送プロセスは特に処理を行わず、何れの場合においても、Ｋ転送プロセスは、常駐したまま処理を終了するものであり、プロセス・スイッチ・マネージャは、前記中央演算処理装置に設けられたタイマに同期して、既に常駐されている各転送プロセスを所定の切替時間毎に循環して起動するものであり、現時点では、起動されている転送プロセスはＫ転送プロセスのみであるから、切替時間毎にＫ転送プロセスが繰り返し起動し、該プロセスが最初に起動されると、Ｋ色に係る先頭のブロック、すなわち用紙第１枚目のＫ色の先頭ブロックＫ１１が第１のフレームバッファメモリからＫ中間メモリバッファに転送され、第１のフレームバッファメモリ内においてブロックＫ１１の格納されていた領域が解放され、これにより、次のＫ色に係る先頭ブロックは『Ｋ１２』になり、以後同様に、Ｋ転送プロセスが起動される毎に、用紙第１枚目のＫ色に係るブロックＫ１１，Ｋ１２，Ｋ１３，……が順次、一ブロックずつＫ中間メモリバッファに転送され、一方、前記プリント制御装置においては、用紙第１枚目が引続き搬送されＫ印字部の回転に伴ってライン同期信号 K_LineSync が出力され、このライン同期信号 K_LineSync が出力されると、Ｋ中間メモリバッファ内の先頭ブロック（Ｋ中間メモリバッファに書込まれているブロックのうち、最初に書込まれたもの）がＫ色用プリント制御装置によって読み出され、該先頭ブロックの格納されていた領域が解放され、次に、読み出された先頭ブロックはＫ印字部に供給され、これにより、該先頭ブロックに基づいて、Ｋ色のイメージが用紙に印字され、用紙第１枚目のＫ色に係るブロックＫ１１，Ｋ１２，Ｋ１３，……が順次、一ブロックずつ読み出され、読み出されたブロックの内容に基づいてＫ色のイメージが用紙に印字されてゆき、その後、用紙第１枚目の先端がＹ印字部に達すると、Ｙ色用プリント制御装置からページ同期信号 Y_PageSync が出力され、これに対して、前記中央演算処理装置は、Ｙ転送プロセスを前記メインメモリ内に常駐させ、以後、プロセス・スイッチ・マネージャは、切替時間毎に、Ｋ転送プロセスとＹ転送プロセスとを交互に起動させ、これにより、Ｋ色の場合と同様に、ブロックＹ１１，Ｙ１２，Ｙ１３，……が順次、一ブロックずつＹ中間メモリバッファに転送され、そして、ライン同期信号 Y_LineSync に同期して、Ｙ中間メモリバッファ内のブロックが順次読み出され、読み出されたブロックの内容に基づいてＹ色のイメージが用紙に印字されてゆき、そして、用紙先端がＭ印字部に達するとページ同期信号 M_PageSync が出力されることによってＭ転送プロセスが前記メインメモリに常駐され、Ｋ，Ｙ，Ｍ転送プロセスがプロセス・スイッチ・マネージャによって循環的に起動され、さらに、用紙先端がＣ印字部に達すると、ページ同期信号 C_PageSync が出力されることによってＣ転送プロセスが前記メインメモリに常駐され、Ｋ，Ｙ，Ｍ，Ｃの全転送プロセスがプロセス・スイッチ・マネージャによって循環的に起動され、このように、時間の経過とともに転送プロセスが増加してゆき、各転送プロセスによってブロックが転送され、印字過程において各中間メモリバッファにブロックが格納されてゆくことにより、プロセス・スイッチ・マネージャによって、各色のＣＭＹＫデータがブロック毎に各中間メモリバッファに転送され、各印字部が印字を行わない前記所定時間ΔＴに大量のデータを高速に行うような処理はもとより不要となり、全ての印字部で印字が行われているタイミングにおいてもデータ転送が行われるから、データ転送に係る処理負担を全時間軸上に分散することができ、従って、前記所定時間ΔＴをきわめて短縮することができ、タンデム方式の印字装置の性能を余すところなく引出すことによって高速な印字を行うことが可能である。」
　
（４）上記（２）の「解決手段」の上記（３）の具体例にあっては、何れかの色に対応するページ同期信号 PageSync が出力されると、この色に対応する転送プロセスが起動され対応するブロックが転送されるようにされたが、引用例の上記３（１）キの記載から、「上記（２）の解決手段において、必ずしも、ページ同期信号 PageSync が出力されてから対応する転送プロセスを起動して対応するブロックを転送しなければならないことはなく、ページ同期信号 PageSync が出力される前にブロックのデータを転送してもよい。」ことが把握される。
　
（５）引用例の上記３（１）クの記載から、上記（２）の「解決手段」を採用すると、第１データ転送手段は、所定ブロック単位のデータを各記憶手段に逐次転送するから、データ転送処理を時間軸上で分散することができ、これにより、「大量のデータを一度に転送する必要がなくなり、画像出力処理を高速に行うことができる」という効果を奏することが把握できる。
　
（６）ホストコンピュータで、マルチカラーの画像用データを各色毎に分離されたＣＭＹＫデータに変換し、変換されたＣＭＹＫデータをパケットにして、ホストコンピュータからカラープリンタの制御装置に伝送手段を介して送信するようになっているシステムは、本願の出願前に周知である（以下「周知技術」という。例．いずれも当審拒絶理由で引用した、特開平１０−２４５６０号公報（【０００３】参照。）、特開平１０−１１２７８９号公報（【０００３】、【０００７】及び【０００８】参照。））。
　
（７）パケットとは、パケット交換方式によるディジタル式の通信において、複数のブロックに分割され、それぞれのブロックに宛先，通番などのヘッダーが付加されて送出されるデータのことである（「マグローヒル科学技術用語大辞典、第３版、マグローヒル科学技術用語大辞典編集委員会編集、株式会社日刊工業新聞社、１９９６年９月３０日発行、１４０３ページ、右欄」の「パケット交換方式」の解説記事の記載参照。）。
　
（８）上記（１）ないし（７）からして、タンデム方式の複写機においては、各色毎に独立した幅広いデータバスを用いて高速のクロックでデータ伝送を行えば、充分な速度でデータ伝送を行うことができるのに対して、複写機に用いられているタンデム方式を単にワークステーション等のカラープリンタに適用した引用発明の「出力システム（画像出力システム）」では、「機器間の接続端子のピン数に種々の規定による制約があり、ワークステーションにおける印字データの伝送速度は長くなり、データ伝送時間が長くなるとフレームバッファメモリの書き換えに要する時間も長くなるため、用紙間の間隔を広げて前記所定時間ΔＴを長くせざるを得ないから、カラープリンタの能力を充分に引出すことはできず、印字速度は抑制される。」といった課題があり（上記（１）参照。）、この課題は、「記憶手段に対し所定ブロック単位のデータを逐次転送する第１データ転送手段と、前記第１データ転送手段により前記各記憶手段に転送されたデータを各々対応する前記画像出力部に逐次転送する第２データ転送手段とを具備し、第１データ転送手段が所定ブロック単位のデータを各記憶手段に逐次転送し、第２データ転送手段がこれら各記憶手段に転送されたデータを各々対応する画像出力部に逐次転送するようにする」ことにより解決でき（上記（２）参照。）るから、
　引用発明において、上記課題を解決し、データ転送処理を時間軸上で分散することにより、大量のデータを一度に転送する必要をなくし、画像出力処理を高速に行うことができる（上記（５）参照。）ようにするため、上記「解決手段」（上記（２）参照。）を採用し、上記具体例と同様に、前記「出力装置（カラープリンタ）」に、Ｋ印字部、Ｙ印字部、Ｍ印字部、Ｃ印字部にそれぞれ対応して「色別制御手段（プリント制御装置）」も「メモリ（第２のフレームバッファメモリ）」と同様複数設けるとともに、前記「ホストコンピュータ（ワークステーション）」にメインメモリを備え、各「色別制御手段」の「受信する手段」にそれぞれ個別の宛先を設定し、各「色別制御手段」の「受信する手段」を前記「ホストコンピュータ」と独立してパケット通信するものとし、前記「マルチカラーの画像用データから各色毎に分離された複数の色別出力データ（ラスタデータすなわちＣＭＹＫデータである１フレームの出力画像の各原色データ）」を、所定ブロック単位に分割し、それぞれのブロックに宛先，通番などのヘッダーを付加することによりパケットにして、それぞれの宛先に送信可能な「個別出力データ」となし、この「個別出力データ」をそれぞれの宛先に送信する第１データ転送手段を前記「発信手段」として設け、該第１データ転送手段により前記各「受信する手段」宛てに送信された「個別出力データ」を各々対応する宛先の「受信する手段」により受信し、受信した「個別出力データ」を前記複数にした「色別制御手段」のそれぞれにより、対応する前記各「メモリ」に格納し、前記各「メモリ」に「１ページ分の前記色別出力データ（用紙第１枚目のデータの各々）」が格納されたとき、そのことを前記複数にした「色別制御手段」の各々から前記「機構制御手段」に通知し、全ての「色別制御手段」からの通知を受けたことに基づいて該「機構制御手段」が前記「合成する手段（用紙を一定方向に搬送する用紙搬送機構）」を起動するようになすとともに、前記複数にした「色別制御手段」のそれぞれに第２データ転送手段を設け、第２データ転送手段により、前記「メモリ」に格納された前記「色別出力データ」を所定ブロック単位で前記「メモリ」から各々対応する前記複数の「色別出力手段（印字部）」に逐次転送するようになすことは、当業者が引用例に記載の事項及び周知技術に基づいて容易に想到することができた程度のことである。
　
（９）本願発明の「複数の色別制御手段がホストコンピュータとそれぞれ独立して順番を整えずに通信する」ことに関して以下検討する。
　ア　本願明細書の発明の詳細な説明には、次の記載がある。
「　　【００４４】
　一方、汎用インタフェースのコストが下がると、プリンタの内部で各色別印刷データ６８Ｃ〜６８Ｋを選択し、色別印刷ユニット３２Ｃ〜３２Ｋに転送する処理の処理時間がオーバーヘッドとして見える。さらに、プリンタ内部でデータを選択して転送するハードウェアもコスト的にオーバーヘッドになる可能性がある。そこで、本例のプリンタ３１においては、各色の印刷を行う印刷ユニット３２Ｃ、３２Ｍ、３２Ｙおよび３２Ｋが分散処理可能な独立したユニットとして提供され、これらを並列に配置することにより、カラー画像を印刷する処理が並列して実行できるようになっていることに着目し、さらに、各々の印刷ユニット３２Ｃ〜３２Ｋをホストコンピュータ５と独立して通信できるようにして、プリンタ内でデータを選択して転送する処理時間およびハードウェアのオーバーヘッドを省けるようにしている。したがって、本例のプリンタ３１においては、さらに、プリンタ３１の内部におけるデータ処理の機会を削減することができ、プリンタ側の処理が印刷処理におけるクリティカルパスとなる可能性を低減することができる。このため、コンピュータ５の性能向上および伝送系６の性能向上をより反映しやすい構成の印刷システム３０を構築することができる。
　　　【００４５】
　また、ホストコンピュータ５から各印刷ユニット３２Ｃ〜３２Ｋの色別制御回路３４にそれぞれダイレクトに色別印刷データ６８Ｃから６８Ｋを発信できるので、ホストコンピュータ５のドライバ５５で色別印刷データを纏めたり、送る順番を整えるなどのデータ転送に必要な処理あるいは調整も不要となる。」
　
　イ　上記アの記載からみて、本願発明の「複数の色別制御手段がホストコンピュータとそれぞれ独立して順番を整えずに通信する」ことは、「各々の印刷ユニットの色別制御手段（色別制御回路）をホストコンピュータと独立して通信できるようにし、かつ、ホストコンピュータから各印刷ユニットの色別制御手段（色別制御回路）にそれぞれダイレクトに色別出力データ（色別印刷データ）を発信できる」ことを含み、このことによる「ホストコンピュータのドライバで色別印刷データを纏めたり、送る順番を整えるなどのデータ転送に必要な処理あるいは調整も不要となる」という効果を表現したものと解される。
　
　ウ　他方、上記（８）において「各色別制御手段の受信する手段を前記ホストコンピュータと独立してパケット通信するものとし」た引用発明の「出力システム」は、上記（８）によれば、「各々の色別制御手段（各々のプリンタ制御装置）をホストコンピュータ（ワークステーション）と独立して通信できるようにし、かつ、ホストコンピュータ（ワークステーション）から、所定ブロック単位に分割し、それぞれのブロックに宛先，通番などのヘッダーを付加することによりパケットにした色別出力データ（ラスタデータすなわちＣＭＹＫデータである１フレームの出力画像の各原色データ）をそれぞれの宛先の各色別制御手段（各プリンタ制御装置）にそれぞれダイレクトに発信できる」ものといえる。
　
　エ　上記イ及びウからして、上記（８）において「各色別制御手段の受信する手段を前記ホストコンピュータと独立してパケット通信するものとし」た引用発明の「出力システム」は、「各々の印刷ユニットの色別制御手段をホストコンピュータと独立して通信できるようにし、かつ、ホストコンピュータから各印刷ユニットの色別制御手段にそれぞれダイレクトに色別出力データを発信できる」ものであるから、本願発明の「複数の色別制御手段がホストコンピュータとそれぞれ独立して順番を整えずに通信する」ことに包含される事項を備え、該事項による「ホストコンピュータのドライバで色別印刷データを纏めたり、送る順番を整えるなどのデータ転送に必要な処理あるいは調整も不要となる」という効果を奏するものといえる。
　
（１０）上記（８）における「宛先」、「宛先に送信」、「それぞれ個別の宛先を設定し」及び「それぞれの宛先に送信」は、それぞれ、本願発明の「アドレス」、「アドレス宛に発信」、「個別にアドレスを備え」及び「個別のアドレス宛に発信」に相当するから、上記（８）及び（９）からして、引用発明において、前記「個別出力データ」を、それぞれのアドレス宛に発信可能なものとし、前記「発信手段」を、前記「個別出力データ」をそれぞれのアドレス宛に発信するものとし、前記「受信する手段」を含む前記「色別制御手段」を、複数にし、各「受信する手段」を、それぞれ、個別にアドレスを備えたものにし、複数にした前記「色別制御手段」を、前記「ホストコンピュータ」と独立して順番を整えずに通信するものとし、前記「受信する手段」が受信する前記「個別出力データ」の前記「色別出力データ」を、個別のアドレス宛に発信されたものとし、かつ、前記「伝送手段」を、前記「個別出力データ」をそれぞれのアドレス宛に伝送可能なものとすること、すなわち、引用発明において、上記相違点に係る本願発明の構成となすことは、当業者が引用例に記載の事項及び周知技術に基づいて容易になし得たことである。
　
（１１）本願発明の奏する効果は、引用発明の奏する効果、引用例に記載の事項の奏する効果及び周知技術の奏する効果から、当業者が予測することができた程度のものである。
　
（１２）したがって、本願発明は、当業者が引用例に記載された発明、引用例に記載の事項及び周知技術に基づいて容易に発明をすることができたものである。
　
６　むすび
　本願発明は、以上のとおり、当業者が引用例に記載された発明、引用例に記載の事項及び周知技術に基づいて容易に発明をすることができたものであるから、特許法第２９条第２項の規定により特許を受けることができない。
　よって、結論のとおり審決する。